(57)【要約】【課題】塗布使用に適切な粘度を長期間維持でき、親水性汚れ、親油性汚れを問わず優れた洗浄効果を示す、保存安定性に優れた液体洗浄剤組成物を提供する。【解決手段】（ａ）過酸化水素又は水中で過酸化水素を生成する化合物、（ｂ）界面活性剤、（ｃ）炭素数５〜２０の４〜８価のアルコール、（ｄ）炭素数２〜２０の２価のアルコール及び／又は炭素数３〜２０の３価のアルコール、（ｅ）ホウ酸、ホウ砂、及びホウ酸塩から選ばれる化合物、並びに、（ｆ）水を、それぞれ特定範囲で含有する液体洗浄剤組成物。【選択図】なし【特許請求の範囲】
【請求項１】
（ａ）過酸化水素又は水中で過酸化水素を生成する化合物０．１〜３０質量％、（ｂ）界面活性剤１０〜５０質量％、（ｃ）炭素数５〜２０の４〜８価のアルコール１〜３０質量％、（ｄ）炭素数２〜２０の２価のアルコール及び／又は炭素数３〜２０の３価のアルコール１〜３０質量％、（ｅ）ホウ酸、ホウ砂、及びホウ酸塩から選ばれる化合物をホウ素原子として０．０５〜２質量％、並びに、（ｆ）水５〜４０質量％を含有する液体洗浄剤組成物。
【請求項２】
ＪＩＳ  Ｋ３３６２：１９９８記載の２０℃で測定するｐＨが３〜７である請求項１記載の液体洗浄剤組成物。
【請求項３】
（ｃ）成分と（ｄ）成分との合計量が３〜４０質量％である請求項１又は２何れか記載の液体洗浄剤組成物。
【請求項４】
（ｃ）成分／（ｄ）成分の質量比が１／１０〜１０／１である請求項１〜３何れか記載の液体洗浄剤組成物。
【請求項５】
〔（ｃ）成分と（ｄ）成分との合計量〕／（ｅ）成分の質量比が１／１〜５０／１である請求項１〜４何れか記載の液体洗浄剤組成物。
【請求項６】
（ａ）成分／（ｆ）成分の質量比が１／１００〜１／１である請求項１〜５何れか記載の液体洗浄剤組成物。
【請求項７】
更に（ｇ）フェノール系ラジカルトラップ剤を含有する請求項１〜６何れか記載の液体洗浄剤組成物。
【請求項８】
更に（ｈ）ホスホン酸系金属捕捉剤を含有する請求項１〜７何れか記載の液体洗浄剤組成物。
【請求項９】
更に（ｉ）漂白活性化剤を含有する請求項１〜７何れか記載の液体洗浄剤組成物。
【請求項１０】
更に（ｊ）炭素数１〜４の１価のアルコールを含有する請求項１〜７何れか記載の液体洗浄剤組成物。
【請求項１１】
請求項１〜１０の何れか１項記載の液体洗浄剤組成物を、繊維製品に付着させた後、水を含む洗浄媒体で洗浄する、繊維製品の洗浄方法。
【発明の詳細な説明】
【技術分野】
【０００１】
本発明は、液体洗浄剤組成物に関する。特に、衣料用等の繊維製品用として好適な液体洗浄剤組成物に関する。
【背景技術】
【０００２】
過酸化水素を含有する液体洗浄剤組成物は、衣類等の繊維製品の色柄物に使用でき、且つ汚れに直接塗布でき、そそのまま洗濯できるなどの利点がある。しかし、過酸化水素は弱アルカリ性の水溶液で高い漂白効果を発揮することができるが、弱アルカリ性では過酸化水素の安定性が低下するため、中性から弱アルカリ性の一般的な液体洗浄剤組成物に過酸化水素を配合することは貯蔵安定性上困難である。過酸化水素の安定性の観点から、組成物のｐＨを酸性にし、洗浄力を犠牲にした使用が一般的であった。これを改善するために、ホウ酸塩とポリオールを配合し、希釈時のｐＨを希釈前に比べ増加させることにより、過酸化水素及の安定性と洗浄効果を両立させる液体洗浄剤組成物が知られている（例えば、特許文献１、２、３、４参照）。
【０００３】
一方、液体洗浄剤組成物を繊維製品のような吸収性のある被洗浄物に対して塗布使用する場合、液体洗浄剤組成物が表面に残り、汚れに対して十分な洗浄力を発揮することができるように、また作業上の点からも液体洗浄剤組成物の粘度を高める試みがなされている。
【特許文献１】特開２００６−１４３９０７号公報
【特許文献２】特開２００６−１６９５１５号公報
【特許文献３】特開２００６−１６９５１６号公報
【特許文献４】特開２００６−１６９５１７号公報
【発明の開示】
【発明が解決しようとする課題】
【０００４】
一般的に、水溶液の粘度を高める方法として、アクリル酸系ポリマー、キサンタンガム又はポリビニルアルコール等の高分子系増粘剤や、スメクタイト等の粘土物質を配合することが挙げられるが、過酸化水素を含有する液体洗浄剤組成物は、安定性を考慮して、酸性に調製されるため、酸性で十分な安定性を示し、経済的にも優れ、更には外観的に濁りなどを生じさせずに十分な増粘効果を得ることは難しい。また、塗布使用を意図した製品では、塗布使用に適した粘度を生産時から使用終了までの期間、維持することが求められるが、達成が困難であった。特許文献１〜４の組成物は、水に希釈して使用する方法に供されることを意図しており、こうした塗布使用に適した組成について言及していない。
【０００５】
従って、本発明の課題は、塗布使用に適切な粘度を長期間維持でき、親水性汚れ、親油性汚れを問わず優れた洗浄効果を示す、保存安定性に優れた液体洗浄剤組成物を提供することにある。
【課題を解決するための手段】
【０００６】
本発明は、（ａ）過酸化水素又は水中で過酸化水素を生成する化合物〔以下、（ａ）成分という〕０．１〜３０質量％、（ｂ）界面活性剤〔以下、（ｂ）成分という〕１０〜５０質量％、（ｃ）炭素数５〜２０の４〜８価のアルコール〔以下、（ｃ）成分という〕１〜３０質量％、（ｄ）炭素数２〜２０の２価のアルコール及び／又は炭素数３〜２０の３価のアルコール〔以下、合わせて（ｄ）成分という〕１〜３０質量％、（ｅ）ホウ酸、ホウ砂、及びホウ酸塩から選ばれる化合物〔以下、（ｅ）成分という〕をホウ素原子として０．０５〜２質量％、並びに、（ｆ）水〔以下、（ｆ）成分という〕５〜４０質量％を含有する液体洗浄剤組成物に関する。
【０００７】
また、本発明は、上記本発明の液体洗浄剤組成物を、繊維製品に付着させた後、水を含む洗浄媒体で洗浄する、繊維製品の洗浄方法に関する。
【発明の効果】
【０００８】
本発明を用いることで、過酸化水素を配合した液体洗浄剤組成物において、長期間保存後でも塗布使用に適切な粘度であり、親水性汚れ、親油性汚れを問わず優れた洗浄性能が得られるという効果が奏される。
【発明を実施するための最良の形態】
【０００９】
本発明においては、上記の構成を有することで、長期間保存後でも塗布使用に適切な粘度を維持でき、親水性汚れ、親油性汚れを問わず優れた洗浄性能が得られるという効果が発現される。
【００１０】
本発明の液体洗浄剤組成物は、過酸化水素の安定性及び洗浄性能の観点から、ＪＩＳ  Ｋ３３６２：１９９８記載の２０℃で測定するｐＨが３〜７であることが好ましく、３．５〜６．８がより好ましく、４〜６．５が更に好ましく、４．５〜６が特に好ましい。このようなｐＨに調整するためのｐＨ調整剤としては塩酸及び硫酸から選ばれる無機酸、又は水酸化ナトリウム及び水酸化カリウムから選ばれる無機塩基を用いることが好ましい。洗浄性能の観点から、水で１０００倍以上に希釈することにより、ｐＨが０．５以上、更に１以上、更に１．５以上、特に２以上、上昇することが好ましい。また、本発明の液体洗浄剤組成物は、洗浄性能、液体物性の観点から、ＪＩＳ  Ｋ３３６２：１９９８記載の測定による０．１質量％水溶液の２０℃におけるｐＨが７〜１０であることが好ましく、７．２〜９．５がより好ましく、７．５〜９が更に好ましい。
【００１１】
本発明の液体洗浄剤組成物は、塗布使用の適性（被洗浄物への浸透性、残留性、キャップ等への液残留性）の観点から、２０℃における粘度（Ｂ型粘度計、６０ｒ／ｍｉｎ、６０秒）は、１００〜５００ｍＰａ・ｓが好ましく、１２０〜４５０ｍＰａ・ｓがより好ましく、１５０〜４００ｍＰａ・ｓが更に好ましい。
【００１２】
本発明の液体洗浄剤組成物は、洗浄性能、粘度挙動、安定性の観点から、（ｃ）成分と（ｄ）成分との合計量が３〜４０質量％であることが好ましく、５〜３８質量％がより好ましく、１０〜３５質量％が更に好ましく、１５〜３２質量％が特に好ましく、２０〜３０質量％が最も好ましい。
【００１３】
本発明の液体洗浄剤組成物は、洗浄性能、粘度挙動、安定性の観点から、（ｃ）成分／（ｄ）成分の質量比が１／１０〜１０／１であることが好ましく、２／１０〜８／１がより好ましく、３／１０〜６／１が更に好ましく、４／１０〜４／１が特に好ましく、５／１０〜２／１が最も好ましい。
【００１４】
本発明の液体洗浄剤組成物は、洗浄性能、粘度挙動、安定性の観点から、〔（ｃ）成分と（ｄ）成分との合計量〕／（ｅ）成分の質量比が１／１〜５０／１であることが好ましく、５／１〜４５／１がより好ましく、１０／１〜４０／１が更に好ましく、１５／１〜３５／１が特に好ましく、２０／１〜３０／１が最も好ましい。
【００１５】
本発明の液体洗浄剤組成物は、洗浄性能、粘度挙動、安定性の観点から、（ａ）成分／（ｆ）成分の質量比が１／１００〜１／１であることが好ましく、２／１００〜８０／１００がより好ましく、３／１００〜７０／１００が更に好ましく、４／１００〜６０／１００が特に好ましく、５／１００〜５０／１００が最も好ましい。
【００１６】
＜（ａ）成分＞
本発明の液体洗浄剤組成物は、（ａ）成分として過酸化水素又は水中で過酸化水素を生成する化合物を０．１〜３０質量％含有する。洗浄性能、安全性の観点から、（ａ）成分の含有量は組成物中に０．２〜２０質量％が好ましく、０．５〜１５質量％がより好ましく、１〜１０質量％が更に好ましく、１．５〜６質量％が特に好ましい。水中で過酸化水素を生成する化合物としては、過炭酸塩、過ホウ酸塩等が挙げられる。
【００１７】
＜（ｂ）成分＞
本発明の液体洗浄剤組成物は、（ｂ）成分として界面活性剤を１０〜５０質量％含有する。洗浄性能、粘度挙動、安定性の観点から、（ｂ）成分の含有量は組成物中に１５〜４８質量％が好ましく、１８〜４６質量％がより好ましく、２０〜４４質量％が更に好ましく、２２〜４２質量％が特に好ましい。
【００１８】
（ｂ）成分としては、非イオン界面活性剤、陰イオン界面活性剤、陽イオン界面活性剤、及び両性界面活性剤を挙げることができる。
【００１９】
陰イオン界面活性剤（以下（ｂ１）成分という）としては、炭素数１０〜１８のアルキル基又はアルケニル基を有するアルキルベンゼンスルホン酸塩、ポリオキシアルキレンアルキルエーテル硫酸エステル塩、アルキル硫酸エステル塩、α-オレフィンスルホン酸塩、α-スルホ脂肪酸塩、又はα-スルホ脂肪酸低級アルキルエステル塩が挙げられる。
【００２０】
アルキルベンゼンスルホン酸塩としては、洗剤用界面活性剤市場に一般に流通しているものの中で、アルキル鎖の平均炭素数が８〜１６のものであればいずれも用いることができる。例えば花王（株）製のネオペレックスＦ２５、Ｓｈｅｌｌ社製のＤｏｂｓ１０２等を用いることができる。また、アルキルベンゼンスルホン酸塩は、工業的には、洗剤用原料として広く流通しているアルキルベンゼンをクロルスルホン酸、亜硫酸ガス等の酸化剤を用いてスルホン化して得ることもできる。アルキル基の平均炭素数は１０〜１４が好ましい。また、本発明のポリオキシアルキレンアルキルエーテル硫酸塩は、平均炭素数１０〜１８の直鎖もしくは分岐鎖１級アルコール又は直鎖２級アルコールに、エチレンオキシドを１分子当たり平均０．５〜５モル付加させ、これを例えば特開平９-１３７１８８号記載の方法を用いて硫酸化して得ることができる。アルキル基の平均炭素数は１０〜１６が好ましい。本発明のアルキル硫酸エステル塩は、炭素数１０〜１６、好ましくは１０〜１４の直鎖もしくは分岐鎖１級アルコール又は直鎖２級アルコールをＳＯ3又はクロルスルホン酸でスルホン化し、中和して得ることができる。本発明のα−オレフィンスルホン酸塩は、炭素数８〜１８の１−アルケンをＳＯ3でスルホン化し、水和／中和を経て調製することができ、炭化水素基中にヒドロキシ基が存在する化合物と不飽和結合が存在する化合物の混合物である。また、本発明のα-スルホ脂肪酸低級アルキルエステル塩としては、脂肪酸部位のアルキル基の炭素数が好ましくは１０〜１６であり、低級アルキルエステル部位がメチルエステル又はエチルエステルであるものが洗浄効果の点から好ましい。塩としてはナトリウム塩、カリウム塩、マグネシウム塩、カルシウム塩、アルカノールアミン塩、アンモニウム塩などが好適であり、洗浄効果の点からナトリウム塩、カリウム塩、又はマグネシウム塩が好ましい。
【００２１】
本発明では、洗浄効果の点から炭素数１０〜１４のアルキル基を有し、エチレンオキシド平均付加モル数１〜３のポリオキシエチレンアルキル硫酸エステル塩、及び炭素数１１〜１５のアルキル基を有するアルキルベンゼンスルホン酸塩が特に良好である。
【００２２】
非イオン界面活性剤（以下（ｂ２）成分という）としては下記一般式（２）の化合物が好ましい。
Ｒ2a-Ｏ(ＥＯ)a(ＰＯ)b-Ｈ      （２）
［式中Ｒ2aは炭素数１０〜１８、好ましくは１２〜１４のアルキル基又はアルケニル基を示す。ａは平均付加モル数０〜２０の数、ｂは平均付加モル数０〜２０の数を示し、ａ及びｂの両者が０の場合を除く。好ましくはａの平均付加モル数は６〜１５、より好ましくは７〜１２が良好であり、ｂの平均付加モル数は０〜１０、より好ましくは１〜５、特に好ましくは１〜３の数である。］
【００２３】
なお、一般式（２）においては、ＥＯとＰＯとはランダム共重合体又はブロック共重合体のいずれの形態で配列されていてもよい。
【００２４】
陽イオン界面活性剤（以下（ｂ３）成分という）としては、窒素原子に結合する基のうち、１つ又は２つがエステル基又はアミド基で分断されていてもよい炭素数１０〜１８の炭化水素基であり、残りが炭素数１〜３のアルキル基又はヒドロキシアルキル基を有する４級アンモニウム塩が挙げられる。当該４級アンモニウム塩は、炭素数１〜３のアルキル硫酸エステル塩が好適である。ただし、陽イオン界面活性剤は、漂白活性化剤を併用する際は、安定性を低下させることがあるため、配合に注意が必要である。
【００２５】
両性界面活性剤（以下（ｂ４）成分という）としては下記一般式（３）及び一般式（４）から選ばれる化合物を含有することが洗浄効果の点から好ましい。
【００２６】
【化１】
2008133337.tif 000002
【００２７】
［式中、Ｒ3aは炭素数８〜１６、好ましくは１０〜１６、特に好ましくは１０〜１４の直鎖アルキル基又はアルケニル基であり、Ｒ3c及びＲ3dは、それぞれ独立に、炭素数１〜３のアルキル基又はヒドロキシアルキル基であり、好ましくはメチル基、エチル基又はヒドロキシエチル基である。Ｒ3bは炭素数１〜５、好ましくは２又は３のアルキレン基である。Ａは-ＣＯＯ-、-ＣＯＮＨ-、-ＯＣＯ-、-ＮＨＣＯ-、及び-Ｏ-から選ばれる基であり、ｃは０又は１の数である。］
【００２８】
【化２】
2008133337.tif 000003
【００２９】
［式中、Ｒ4aは炭素数９〜２３、好ましくは９〜１７、特に好ましくは９〜１５のアルキル基又はアルケニル基であり、Ｒ4bは炭素数１〜６、好ましくは２又は３のアルキレン基である。Ｂは-ＣＯＯ-、-ＣＯＮＨ-、-ＯＣＯ-、-ＮＨＣＯ-、及び-Ｏ-から選ばれる基であり、ｄは０又は１の数である。Ｒ4c及びＲ4dは、それぞれ独立に、炭素数１〜３のアルキル基又はヒドロキシアルキル基であり、Ｒ4eはヒドロキシ基で置換していてもよい炭素数１〜５、好ましくは１〜３のアルキレン基である。Ｄは-ＣＯＯ-、-ＳＯ3-、及び-ＯＳＯ3-から選ばれる基である。］
【００３０】
ただし、両性界面活性剤は、漂白活性化剤を併用する際は、安定性を低下させることがあるため、配合に注意が必要である。
【００３１】
本発明では（ｂ１）成分及び（ｂ２）成分から選ばれる界面活性剤が好適であり、特に（ｂ２）成分を含有することが好ましい。また、（ｂ４）成分の両性界面活性剤は緩衝能を有するため多量に使用するとｐＨジャンプ効果を損なう場合があり、使用は差し控えることが望ましく、用いる場合には（ｂ４）成分の含有量は０．５質量％以下、好ましくは０．３質量％以下、特に好ましくは０．１質量％以下にとどめる必要がある。
【００３２】
また、本発明では（ｂ２）成分が洗浄効果の点から最も好ましく、特にオキシエチレン基及びオキシプロピレン基を有するポリオキシアルキレンアルキルエーテル型非イオン界面活性剤が好適であり、一般式（２）においてａが８〜１２であり、そしてｂが０〜３であるポリオキシアルキレンアルキルエーテル型非イオン界面活性剤が最も好ましい。（ｂ２）成分の組成物中の含有量は好ましくは４〜４５質量％、より好ましくは１０〜４０質量％、更に好ましくは２０〜４０質量％が望ましい。
【００３３】
本発明の液体洗浄剤組成物において、漂白活性化剤の貯蔵安定性及び漂白洗浄効果の点から界面活性剤として（ｂ２）成分を選択することが好ましく、特にオキシエチレン基及びオキシプロピレン基を有するポリオキシアルキレンアルキルエーテル型非イオン界面活性剤が好適である。具体的には一般式（２）においてＲ2aが炭素数１０〜１４のアルキル基であり、ａが８〜１２であり、そしてｂが１〜３であるポリオキシアルキレンアルキルエーテル型非イオン界面活性剤が最も好ましい。
【００３４】
＜（ｃ）成分＞
本発明の液体洗浄剤組成物は、（ｃ）成分として炭素数５〜２０の４〜８価のアルコールを１〜３０質量％含有する。洗浄性能、粘度挙動、安定性の観点から、（ｃ）成分の含有量は組成物中に３〜２８質量％が好ましく、５〜２６質量％がより好まし、８〜２４質量％が更に好ましく、１０〜２２質量％が特に好ましい。
【００３５】
（ｃ）成分としては、脂肪族ポリオール、例えば、ペンタエリスリトール、ソルビトール、マンニトール、ソルビタン、ジグリセリン、ジペンタエリスリトールなどのアルカンポリオールおよびショ糖、グルコース、マンノース、フルクトース、メチルグルコシドなどの糖類が挙げられる。好ましくはソルビトール、マンニトール、グルコースである。
【００３６】
＜（ｄ）成分＞
本発明の液体洗浄剤組成物は、（ｄ）成分として炭素数２〜２０の２価のアルコール及び／又は炭素数３〜２０の３価のアルコールを１〜３０質量％含有する。洗浄性能、粘度挙動、安定性の観点から、（ｄ）成分の含有量は組成物中に３〜２８質量％が好ましく、５〜２６質量％がより好まし、８〜２４質量％が更に好ましく、１０〜２２質量％が特に好ましい。
【００３７】
（ｄ）成分のうち、炭素数２〜２０の２価アルコール〔以下、（ｄ１）成分という〕としては、脂肪族ジオール、例えば、エチレングリコール、プロピレングリコール、１，３−ブタンジオール、１，４−ブタンジオール、１，６−ヘキサンジオール、ネオペンチルグリコールなどのアルキレングリコール；および脂環式ジオール、例えば、シクロヘキサンジオールなどのシクロアルキレングリコールが挙げられる。
【００３８】
また、（ｄ）成分のうち、炭素数３〜２０の３価アルコール〔以下、（ｄ２）成分という〕としては、脂肪族トリオール、例えば、グリセリン、トリメチロールプロパン、トリメチロールエタン、ヘキサントリオールなどのアルカントリオールが挙げられる。
【００３９】
（ｄ）成分としては、エチレングリコール、プロピレングリコール、グリセリンが好ましい。
【００４０】
また、（ｄ１）成分と（ｄ２）成分とを併用することは安定性の観点で好ましく、その場合の質量比は、（ｄ１）／（ｄ２）＝１０／１〜１／２、更に５／１〜１／１が好ましい。
【００４１】
＜（ｅ）成分＞
本発明の液体洗浄剤組成物は、（ｅ）成分としてホウ酸、ホウ砂、及びホウ酸塩から選ばれる化合物をホウ素原子として０．０５〜２質量％含有する。洗浄性能、粘度挙動、安定性の観点から、（ｅ）成分の含有量は組成物中に０．１〜１．５質量％が好ましく、０．１５〜１質量％がより好ましく、０．２〜０．８質量％が更に好ましく、０．３〜０．５質量％が特に好ましい。
【００４２】
（ｅ）成分としては、ホウ酸、ホウ砂及びホウ酸塩から選ばれる少なくとも１種の化合物が挙げられる。ホウ酸塩としては、ホウ酸ナトリウム、ホウ酸カリウム、ホウ酸アンモニウム、４ホウ酸ナトリウム、４ホウ酸カリウム、４ホウ酸アンモニウム等が挙げられる。
【００４３】
＜（ｆ）成分＞
本発明の液体洗浄剤組成物は、（ｆ）成分として水５〜４０質量％含有する。洗浄性能、粘度挙動、安定性の観点から、（ｆ）成分の含有量は組成物中に６〜３８質量％が好ましく、７〜３６質量％がより好ましく、８〜３４質量％が更に好ましく、９〜３２質量％が特に好ましい。
【００４４】
＜その他成分＞
本発明の液体洗浄剤組成物は、（ｇ）成分としてフェノール系ラジカルトラップ剤を含有することが安定性の観点から好ましく、組成物中の（ｇ）成分の含有量は、０．１〜５質量％がより好ましく、０．３〜３質量％が更に好ましく、０．５〜２質量％が特に好ましい。
【００４５】
フェノール系ラジカルトラップ剤とは、フェノール及びフェノール誘導体であって、フェノール性ＯＨ基を有することにより、ラジカルをトラップする作用を有するものである。フェノール性ＯＨ基を有する化合物、又はフェノール性ＯＨ基のエステル誘導体、エーテル誘導体が好ましい。フェノール性ＯＨ基のエステル誘導体とは、当該ＯＨ基の水素が、置換されて、エステル結合を形成しているものである。フェノール性ＯＨ基のエーテル誘導体とは、当該ＯＨ基の水素が置換されてエーテル結合を形成しているものである。なお、フェニル基がＯＨ基以外の置換基を有する場合、その置換位置は、オルト位、メタ位、パラ位のいずれでもよい。これらの中でも、フェノール性ＯＨ基を有する化合物がより好ましい。そして、例えば分子量８０〜２５０のものが好ましい。これらの中でも更に好ましい化合物は、Ｇ．Ｅ．Ｐｅｎｋｅｔｈ，Ｊ．Ａｐｐｌ．Ｃｈｅｍ，７，５１２（１９５７）に記載された酸化還元電位（Ｏ．Ｐ．）が１．２５Ｖ以下の化合物であり、特に好ましくは、０．７５Ｖ以下の化合物である。（ｇ）成分として特に好適な例としては、ジメトキシフェノール、カテコール、ハイドロキノン、メトキシフェノール、フェノールスルホン酸、ジブチルヒドロキシトルエン（ＢＨＴ）等が挙げられる。
【００４６】
本発明の液体洗浄剤組成物は、（ｈ）成分としてホスホン酸系金属捕捉剤を含有することが安定性の観点から好ましく、組成物中の（ｈ）成分の含有量は、０．０５〜３質量％がより好ましく、０．１〜２質量％が更に好ましく、０．２〜１質量％が特に好ましい。（ｈ）成分としては、エタン−１，１−ジホスホン酸、エタン−１，１，２−トリホスホン酸塩、１−ヒドロキシエタン−１，１−ジホスホン酸、エタンヒドロキシ−１，１，２−トリホスホン酸、エタン−１，２−ジカルボキシ−１，２−ジホスホン酸、メタンヒドロキシホスホン酸、ニトリロトリメチレンホスホン酸、エチレンジアミンテトラキスメチレンホスホン酸等の有機ホスホン酸誘導体が挙げられる。これらの中でも特に１−ヒドロキシエタン−１，１−ジホスホン酸、エチレンジアミンテトラキスメチレンホスホン酸などがより好ましい。
【００４７】
本発明の液体洗浄剤組成物は、（ｉ）成分として漂白活性化剤を含有することが洗浄性能の観点から好ましく、組成物中の（ｉ）成分の含有量は、０．０１〜１０質量％が好ましく、０．１〜５質量％が更に好ましく、０．２〜３質量％が特に好ましく、０．４〜１質量％が最も好ましい。（ｉ）成分としては、アルカノイルオキシベンゼン型漂白活性化剤が好ましく、特に炭素数８〜１４、好ましくは８〜１３のアルカノイル基を有するアルカノイルオキシベンゼンスルホン酸もしくは炭素数８〜１４、好ましくは８〜１３のアルカノイル基を有するアルカノイルオキシベンゼンカルボン酸又はこれらの塩が好ましい。より具体的に好ましい例としてはオクタノイルオキシ−ｐ−ベンゼンスルホン酸、ノナノイルオキシ−ｐ−ベンゼンスルホン酸、３，５，５−トリメチルヘキサノイルオキシ−ｐ−ベンゼンスルホン酸、デカノイルオキシ−ｐ−ベンゼンスルホン酸、ドデカノイルオキシ−ｐ−ベンゼンスルホン酸、オクタノイルオキシ−ｏ−又は−ｐ−ベンゼンカルボン酸、ノナノイルオキシ−ｏ−又は−ｐ−ベンゼンカルボン酸、３，５，５−トリメチルヘキサノイルオキシ−ｏ−又は−ｐ−ベンゼンカルボン酸、デカノイルオキシ−ｏ−又は−ｐ−ベンゼンカルボン酸、ドデカノイルオキシ−ｏ−又は−ｐ−ベンゼンカルボン酸、及びこれらの塩が挙げられる。塩としてはナトリウム塩、カリウム塩、マグネシウム塩が好ましく、特にナトリウム塩が溶解性の点から好ましい。これらの中でも特にノナノイルオキシ−ｐ−ベンゼンスルホン酸、デカノイルオキシ−ｐ−ベンゼンカルボン酸、ドデカノイルオキシ−ｐ−ベンゼンスルホン酸及びこれらの塩が漂白効果の点から好ましい。
【００４８】
本発明の液体洗浄剤組成物は、（ｊ）成分として炭素数１〜４の１価のアルコールを含有することが安定性、洗浄性能の観点から好ましく、組成物中の（ｊ）成分の含有量は、０．１〜１０質量％が好ましく、０．５〜５質量％が更に好ましい。（ｊ）成分としては、メタノール、エタノール、イソプロパノール、ポリオキシエチレンフェニルエーテル等が挙げられる。
【００４９】
本発明の液体洗浄剤組成物は、漂白効果を高める目的から分散剤を含有することが好ましく、組成物中の含有量は０．０５〜１４質量％が好ましく、０．１〜８質量％が更に好ましい。特に、重量平均分子量５千〜４万、好ましくは５千〜１万のポリアクリル酸もしくはその塩又はポリメタクリル酸もしくはその塩、重量平均分子量１万〜１０万、好ましくは３万〜７万のアクリル酸とマレイン酸とのコポリマーもしくはその塩から選ばれるカルボン酸系ポリマー、及び／又は重量平均分子量４千〜２万、好ましくは５千〜１万のポリエチレングリコールから選ばれる非イオン性ポリマーが好ましい。
【００５０】
その他に本発明の液体洗浄剤組成物は、シリコーン類、殺菌剤、蛍光染料、酵素、染料や顔料のような着色剤、香料等の任意成分を配合し得る。
【００５１】
本発明の液体洗浄剤組成物の対象物としては、衣料のような繊維製品が好適であり、洗濯機を用いて洗浄する衣料等の繊維製品に応用すること、特に被洗浄物に塗布して用いることが最も好ましい。すなわち、本発明の液体洗浄剤組成物を、塗布等により繊維製品に付着させた後、水を含む洗浄媒体で洗浄する、繊維製品の洗浄方法が好適である。該洗浄媒体は本発明もしくはその他の洗浄剤組成物を含んでいてもいなくてもよい。
【実施例】
【００５２】
表１に示す各成分を混合して、液体洗浄剤組成物を得た。得られた液体洗浄剤組成物を用いて、保存後の洗浄性能（洗浄率）及び粘度変化率を以下の方法により評価した。その結果を表１に示す。尚、最終液体洗浄剤組成物の初期ｐＨが表１記載の値となるよう、５％ＮａＯＨ水溶液を用いて調整した。
【００５３】
＜保存条件＞
（株）ニッコー製、ＰＬＡＳＴＩＣＳ  ＷＡＲＥ  ２５０ｍｌ  ＰＥボトルに、得られた液体洗浄剤組成物２５０ｍｌを充填し、キャップを閉めた。これを４２℃恒温槽にて６０日間保存した。
【００５４】
＜塗布洗浄力＞
ＥＭＰＡ社より購入したＮｏ．１１１汚染布（血液汚染布）、又はＮｏ．１１４汚染布（赤ワイン汚染布）を８ｃｍ×８ｃｍの試験片とした。保存後の液体洗浄剤組成物を２０℃に調整し、汚染布１枚につき液体洗浄剤組成物１ｇを均一に塗布した。１サンプルにつき５枚を一組とした。塗布後５分間放置した後、ターゴトメーターで４２℃の６°ＤＨ硬水１リットルを用い、１５分、１００ｒｐｍで洗浄した後、すすぎ、乾燥後、下式により洗浄率を求めた。反射率は日本電気色工業（株）製ＮＤＲ−１０１ＤＰで４６０ｎｍフィルターを使用して測定した。
【００５５】
【数１】
2008133337.tif 000004
【００５６】
＜粘度変化率＞
保存後の液体洗浄剤組成物の粘度（２０℃）を測定し、下式により粘度変化率を求めた。
粘度変化率（％）＝｜（保存後の粘度−初期粘度）／初期粘度｜×１００
【００５７】
【表１】
2008133337.tif 000005
【００５８】
表中の成分は以下のものである。
・ノニオン（１）：炭素数１０〜１４の直鎖第１級アルコールにＥＯを平均１０モル付加させたもの
・ＬＡＳ：直鎖アルキル（炭素数１０〜１３）ベンゼンスルホン酸塩ナトリウム
・ＥＳ：ポリオキシエチレンアルキルエーテル硫酸エステル塩（炭素数１０〜１４の直鎖アルキル、ＥＯ平均付加モル数３、ナトリウム塩）
・ノニオン（２）：炭素数１２〜１４の２級アルコールにＥＯを平均７モル付加させたもの
・ＢＤＧ：ブチルジグリコール
・ｈ−１：１-ヒドロキシエチリデン-１，１-ジホスホン酸〔ソルーシア社製Dequest（デイクエスト）2010〕
・ｉ−１：ラウロイルオキシ-ｐ-ベンゼンスルホン酸ナトリウム
・ｉ−２：デカノイルオキシ-ｐ-ベンゼンスルホン酸ナトリウム
・ｉ−３：イソノナノイルオキシ-ｐ-ベンゼンカルボン酸